(57)【要約】【課題】記録媒体の乾燥ジワを抑制しつつ画像の変質を防止するインクジェット記録装置を提供する。【解決手段】記録媒体を搬送する搬送手段と、前記記録媒体の搬送方向に沿って並んで配置され、着色剤及び赤外線吸収剤を含有する色別のインクを搬送された当該記録媒体上に吐出する複数のインクジェットヘッドと、前記複数のインクジェットヘッドと同数存在し、該複数のインクジェットヘッドの各々より前記記録媒体の搬送方向下流側に配置され、当該複数のインクジェットヘッドによって前記記録媒体上に吐出された色別のインクの各々に対し赤外線レーザーを照射させる複数のレーザー照射手段と、を備え、前記インク中の赤外線吸収剤、前記インクの赤外線吸収率、及び前記レーザー照射手段が、特定の条件（１）〜（３）を全て満たす、又は、特定の条件（１）及び（４）を満たすを満たすインクジェット記録装置である。【選択図】図１
2013188920.tif 000002
【特許請求の範囲】
【請求項１】
記録媒体を搬送する搬送手段と、
前記記録媒体の搬送方向に沿って並んで配置され、着色剤及び赤外線吸収剤を含有する色別のインクを搬送された当該記録媒体上に吐出する複数のインクジェットヘッドと、
前記複数のインクジェットヘッドと同数存在し、該複数のインクジェットヘッドの各々より前記記録媒体の搬送方向下流側に配置され、当該複数のインクジェットヘッドによって前記記録媒体上に吐出された色別のインクの各々に対し赤外線レーザーを照射させる複数のレーザー照射手段と、
を備え、下記条件（１）〜（３）を全て満たす、又は、下記条件（１）及び（４）を満たすインクジェット記録装置。
（１）：前記色別のインクに含有される赤外線吸収剤が、当該インクが吐出された後最も先んじて照射される赤外線レーザーの発振波長と同一又は近似した極大吸収波長を有するものであること
（２）：（ａ）前記色別のインク中には、同一又は近似した極大吸収波長を有する赤外線吸収剤を含有するインクが存在し、（ｂ）該インクにおいて、当該インクが吐出された後最も先んじて照射される赤外線レーザーの発振波長に対する赤外線吸収率が、前記記録媒体の搬送方向の上流側から下流側にかけて前記インクジェットヘッドにより吐出される順に大きくなる
（３）：（ａ）前記複数のレーザー照射手段中には、同一の発振波長を有する赤外線レーザーを照射するレーザー照射手段が存在し、（ｂ）該レーザー照射手段の赤外線レーザーによる照射エネルギーが、前記記録媒体の搬送方向上流側のものから下流側のものにかけて順に小さくなる
（４）：前記複数のレーザー照射手段中には、異なる発振波長を有する赤外線レーザーを照射するレーザー照射手段が存在する
【請求項２】
前記色別のインクにおいて、該色別のインクに含有される赤外線吸収剤により生じる色にごりが小さいものほど、前記記録媒体の搬送方向の上流側にて吐出される請求項１に記載のインクジェット記録装置。
【発明の詳細な説明】
【技術分野】
【０００１】
本発明は、インクジェット記録装置に関する。
【背景技術】
【０００２】
インクジェットプリンティング技術は、広幅・高速化が容易であることから、近年、印刷分野においてシェアを大きく伸ばしている。
このインクジェット印刷では、インクが乾く前に用紙を重ねたり、連続用紙であれば巻き取ったりすると、裏写りなどのトラブルが発生することから、インクの乾燥工程が必須である。一般的なインクの乾燥方法としては、例えば、温風乾燥、ラジエーター乾燥などが挙げられる。
【０００３】
上記のようなインクジェット印刷を可能とするインクジェット記録装置としては、例えば、エネルギー線硬化インクを吐出するためのノズルを複数個有し、記録媒体に向けてエネルギー線硬化インクを吐出するインクジェットヘッドと、記録媒体上のインクドットが形成された領域にエネルギー線（例えばレーザー光）を照射するエネルギー線照射手段と、を備えたものが知られている（例えば、特許文献１参照）。
また、記録媒体の全幅に対応する長さにわたってインク吐出用の複数のノズルを配列させたノズル列を有するフルライン型のインクジェットヘッドを複数色のインクの色別に複数配置して成るインク吐出手段と、色別に設けられた各インクジェットヘッドに、それぞれ対応する色の紫外線硬化型インクを供給するインク供給手段と、線状に配列された発光素子群から成る紫外線光源を含んで構成されるとともに、色別のインクジェットヘッド間に配置され、インクジェットヘッドに対する記録媒体の相対的搬送方向の上流側にあるインクジェットヘッドから吐出されたインク液滴と相対的搬送方向の下流側にある後続のインクジェットヘッドによって吐出されるインク液滴とが記録媒体表面上で混合しない程度に、上流側のインクジェットヘッドによる着弾インク液滴を半硬化させる紫外線を照射する第１の硬化手段と、複数のインクジェットヘッドのうち最下流に配置されているヘッドの後段に配置され、記録媒体上のインク液滴を、硬化インク液滴がハンドリングによって画像劣化が起こらない程度に本硬化させる紫外線を照射する第２の硬化手段と、を備えたものも知られている（例えば、特許文献２参照。）。
【先行技術文献】
【特許文献】
【０００４】
【特許文献１】特開２００３−３２６６９１号公報
【特許文献２】特開２００５−２８０３４６号公報
【発明の概要】
【発明が解決しようとする課題】
【０００５】
本発明は、記録媒体の乾燥ジワを抑制しつつ画像の変質を防止するインクジェット記録装置を提供することを目的とする。
【課題を解決するための手段】
【０００６】
即ち、請求項１に係る発明は、
記録媒体を搬送する搬送手段と、
前記記録媒体の搬送方向に沿って並んで配置され、着色剤及び赤外線吸収剤を含有する色別のインクを搬送された当該記録媒体上に吐出する複数のインクジェットヘッドと、
前記複数のインクジェットヘッドと同数存在し、該複数のインクジェットヘッドの各々より前記記録媒体の搬送方向下流側に配置され、当該複数のインクジェットヘッドによって前記記録媒体上に吐出された色別のインクの各々に対し赤外線レーザーを照射させる複数のレーザー照射手段と、
を備え、下記条件（１）〜（３）を全て満たす、又は、下記条件（１）及び（４）を満たすインクジェット記録装置である。
（１）：前記色別のインクに含有される赤外線吸収剤が、当該インクが吐出された後最も先んじて照射される赤外線レーザーの発振波長と同一又は近似した極大吸収波長を有するものであること
（２）：（ａ）前記色別のインク中には、同一又は近似した極大吸収波長を有する赤外線吸収剤を含有するインクが存在し、（ｂ）該インクにおいて、当該インクが吐出された後最も先んじて照射される赤外線レーザーの発振波長に対する赤外線吸収率が、前記記録媒体の搬送方向の上流側から下流側にかけて前記インクジェットヘッドにより吐出される順に大きくなる
（３）：（ａ）前記複数のレーザー照射手段中には、同一の発振波長を有する赤外線レーザーを照射するレーザー照射手段が存在し、（ｂ）該レーザー照射手段の赤外線レーザーによる照射エネルギーが、前記記録媒体の搬送方向上流側のものから下流側のものにかけて順に小さくなる
（４）：前記複数のレーザー照射手段中には、異なる発振波長を有する赤外線レーザーを照射するレーザー照射手段が存在する
【発明の効果】
【０００７】
請求項１に係る発明によれば、搬送手段、複数のインクジェットヘッド、及び複数のレーザー照射手段を備え、条件（１）〜（３）の少なくとも１つを満たさない場合、又は、条件（１）及び（４）の少なくとも一方を満たさない場合に比較して、記録媒体の乾燥ジワを抑制しつつ画像の変質を防止するインクジェット記録装置が提供される。
【図面の簡単な説明】
【０００８】
【図１】本実施形態に係るインクジェット記録装置の一例を示す概略構成図である。
【図２】化合物（１）の吸収スペクトルを示す図である。
【図３】化合物（２）の吸収スペクトルを示す図である。
【図４】化合物（１）にイエロー、マゼンタ、及びシアンの各インクに添加した場合の色にごり（無添加と添加した際との色差：ΔＥ）について測定結果を示す図である。
【図５】化合物（２）にイエロー、マゼンタ、及びシアンの各インクに添加した場合の色にごり（無添加と添加した際との色差：ΔＥ）について測定結果を示す図である。
【発明を実施するための形態】
【０００９】
以下、本発明に係るインクジェット記録装置の実施形態について詳細に説明する。
本実施形態に係るインクジェット記録装置は、記録媒体を搬送する搬送手段と、前記記録媒体の搬送方向に沿って並んで配置され、着色剤及び赤外線吸収剤を含有する色別のインクを搬送された当該記録媒体上に吐出する複数のインクジェットヘッドと、前記複数のインクジェットヘッドと同数存在し、該複数のインクジェットヘッドの各々より前記記録媒体の搬送方向下流側に配置され、当該複数のインクジェットヘッドによって前記記録媒体上に吐出された色別のインクの各々に対し赤外線レーザーを照射させる複数のレーザー照射手段と、を備え、下記条件（１）〜（３）を満たす、又は、下記条件（１）及び（４）を満たすインクジェット記録装置である。
（１）：前記色別のインクに含有される赤外線吸収剤が、当該インクが吐出された後最も先んじて照射される赤外線レーザーの発振波長と同一又は近似した極大吸収波長を有するものであること
（２）：（ａ）前記色別のインク中には、同一又は近似した極大吸収波長を有する赤外線吸収剤を含有するインクが存在し、（ｂ）該インクにおいて、当該インクが吐出された後最も先んじて照射される赤外線レーザーの発振波長に対する赤外線吸収率が、前記記録媒体の搬送方向の上流側から下流側にかけて前記インクジェットヘッドにより吐出される順に大きくなる
（３）：（ａ）前記複数のレーザー照射手段中には、同一の発振波長を有する赤外線レーザーを照射するレーザー照射手段が存在し、（ｂ）該レーザー照射手段の赤外線レーザーによる照射エネルギーが、前記記録媒体の搬送方向上流側のものから下流側のものにかけて順に小さくなる
（４）：前記複数のレーザー照射手段中には、異なる発振波長を有する赤外線レーザーを照射するレーザー照射手段が存在する
【００１０】
上記のような構成を有する本実施形態に係るインクジェット記録装置は、記録媒体の乾燥ジワを抑制しつつ過加熱による画像の変質を防止する。
その理由は明確ではないが、以下のように推察される。
インクジェット記録装置において、記録媒体（紙）にインクが十分にしみ込んでしまった後に乾燥すると、乾燥後はカックルと呼ばれる乾燥ジワが発生することがある。
この乾燥ジワ（カックル）を抑制するためには、インク、特にインク中の水が記録媒体にしみこむ前に乾燥する必要があり、そのための手段の１として、レーザーを用いてインク着弾直後に瞬時にインクを乾燥する方法がある。
しかしながら、上記のようなインク着弾直後に乾燥する構成においては、仮にＹＭＣＫの順にて４色で画像を構成するなら、ＹＭＣＫの各色のマーキングごとにレーザーを照射・乾燥することになる。ここで、Ｙがマーキングされ乾燥した画像部は、インクが乾燥した状態で、Ｍ、Ｃ、Ｋのインクの乾燥用のレーザー光を照射されることになる。すると、インクが乾燥していないＭ、Ｃ、Ｋの画像部は、インクが乾くまでは１００℃を超えないのに対して、Ｙの画像部は１００℃を大きく超えて過剰に加熱されることになる。それは、早い順でマーキングされる色ほど顕著で、画像部の温度はＹ＞Ｍ＞Ｃ＞Ｋとなり、仮にＹＭＣＫのレーザー光の吸収率が同じだとすると、ＹはＫの４倍のエネルギーを吸収することになる。
その結果、乾燥ジワ（カックル）は抑制されるものの、形成された画像の一部において、変色が発生したりして変質してしまう問題があった。
【００１１】
対して、本実施形態に係るインクジェット記録装置では、インク着弾直後にレーザーによる乾燥を行う装置であって、前述のように、条件（１）〜（３）の全てを満たす、又は、条件（１）及び（４）を満たしていることで、記録媒体のカックル（乾燥ジワ）の発生を抑制しつつも、過加熱による画像の変質を防止することができる。
これは、条件（１）〜（３）の全てを満たす、又は、条件（１）及び（４）を満たすことで、記録媒体の乾燥ジワを抑制すると共に、各色のインクが乾燥に用いられる赤外線レーザーの吸収するエネルギーを平均化することができ、特定の色のインクのみがレーザー光を多く吸収し、過加熱されることが抑制されるためと考えられる。条件（１）〜（３）の全てを満たす、又は、条件（１）及び（４）を満たすことで得られる具体的な作用については、後述する。
【００１２】
以下、図面を参照して、本実施形態に係るインクジェット記録装置について説明する。
図１は、本実施形態に係るインクジェット記録装置の一例を示す概略構成図である。
図１に示すように、本実施形態に係るインクジェット記録装置１００は、記録媒体Ｐを搬送する搬送手段１０と、記録媒体Ｐ上に複数色のインクを色別に吐出する４つのインクジェットヘッド２０ａ，２０ｂ，２０ｃ，２０ｄと、記録媒体Ｐ上に吐出された色別のインクに対し赤外線レーザーを照射する４つのレーザー照射手段３０ａ，３０ｂ，３０ｃ，３０ｄと、を備えている。
【００１３】
搬送手段１０は、無端状のベルト１２がローラ１４ａ，１４ｂにより張架されたものである。
ローラ１４ａ，１４ｂにより張架されたベルト１２は、少なくとも、各インクジェットヘッド２０ａ，２０ｂ，２０ｃ，２０ｄのノズル面に対向する領域（インクの吐出領域）、及び、レーザー照射手段３０ａ，３０ｂ，３０ｃ，３０ｄによる赤外線レーザーの照射領域が、水平になるように構成されている。
また、ベルト１２は、インクジェット記録装置１００が対象とする記録媒体Ｐの最大幅よりも大きな幅を有するものである。
【００１４】
ローラ１４ａ，１４ｂの一方又は両方にベルト駆動用のモータ（不図示）が接続されており、そのモータによる動力によりベルト１２は図１中の矢印方向に回転移動する。
上記のようなベルト１２の回転移動に伴い、ベルト１２上に供給された記録用紙等の記録媒体Ｐが図１の右側から左側へと搬送される。
【００１５】
４つのインクジェットヘッド２０ａ，２０ｂ，２０ｃ，２０ｄは、記録媒体Ｐの搬送方向上流側から下流側に沿って配置されており、複数色のインクを色別に収納するインクタンク２２ａ，２２ｂ，２２ｃ，２２ｄと、管路２４ａ，２４ｂ，２４ｃ，２４ｄを介して連通している。
各インクタンク２２ａ，２２ｂ，２２ｃ，２２ｄから供給された色別のインクは、搬送手段１０により搬送された記録媒体Ｐに対し、各インクジェットヘッド２０ａ，２０ｂ，２０ｃ，２０ｄからその順に吐出される。
【００１６】
インクジェットヘッド２０ａ，２０ｂ，２０ｃ，２０ｄは、例えば、記録媒体Ｐの搬送方向上流側から、イエローインクを吐出するヘッド２０ａと、マゼンタインクを吐出するヘッド２０ｂ、シアンインクを供給するヘッド２０ｃ、ブラックインクを吐出するヘッド２０ｄと、含んで構成される。
無論、各インクジェットヘッド２０ａ，２０ｂ，２０ｃ，２０ｄから吐出されるインクの組み合わせについては、上記の構成に限られず、複数色のインクを色別に吐出させる構成であればよく、上記の４色以外に更に別の色相を有するインクを吐出するヘッドを更に有する構成（つまりヘッドが５つ以上存在する構成）であってもよいし、吐出するインクの色相や順（吐出順）が上記の構成とは異なるものであってもよい。
なお、色別のインクの吐出順としては、赤外線吸収剤の添加によってインクとして求められている色相が変化してしまう、つまり、色にごりを考慮して決定されることが好ましい。色別のインクの吐出順と色にごりとの関係については、後述する。
【００１７】
各インクジェットヘッド２０ａ，２０ｂ，２０ｃ，２０ｄには、例えば、インクジェット記録装置１００が対象とする記録媒体Ｐの幅と同等又はそれ以上の幅を持つライン型インクジェットヘッドが適用される。なお、従来のスキャン型インクジェットヘッドが適用されてもよい。
また、各インクジェットヘッド２０ａ，２０ｂ，２０ｃ，２０ｄからのインクの吐出方式は、圧電素子駆動型、発熱素子駆動型等の従来公知の方式が適用される。
【００１８】
４つのレーザー照射手段３０ａ，３０ｂ，３０ｃ，３０ｄは、インクジェットヘッド２０ａ，２０ｂ，２０ｃ，２０ｄの各々に対し、記録媒体Ｐの搬送方向の下流側に配置されている。
各レーザー照射手段３０ａ，３０ｂ，３０ｃ，３０ｄは、赤外線レーザーを照射する機能を備え、レーザー制御部３２によりその照射エネルギーや照射のタイミング等が制御される構成を有する。
レーザー制御部３２により、前述した条件（３）を満たすように赤外線レーザーのインクに対する照射エネルギーが制御される。
また、前述した条件（４）を満たすようにする場合には、レーザー照射手段３０ａ，３０ｂ，３０ｃ，３０ｄのうち少なくとも１つから照射される赤外線レーザーは、その他から照射される赤外線レーザーとは異なる発振波長を有するものであることになる。
ここで、本実施形態において、異なる発振波長とは、１０ｎｍ以上発振波長が異なることを意味する。
【００１９】
各レーザー照射手段３０ａ，３０ｂ，３０ｃ，３０ｄには、７８０ｎｍ以上１１００ｎｍ以下の領域に発振波長を有する赤外線レーザーであれば制限なく適用される。
かかるレーザー照射手段には、半導体レーザー、固体レーザー、気体レーザー、色素レーザー等の赤外線レーザーが適用され、集光光学系が付属していれば高出力ＬＥＤを用いることもできる。
なお、より具体的には、発振波長９００ｎｍの半導体アレイレーザー、発振波長８１０ｎｍの半導体アレイレーザー、発振波長８４０ｎｍの半導体アレイレーザー、発振波長９４０ｎｍの半導体アレイレーザー、発振波長９８０ｎｍの半導体アレイレーザー、発振波長１０６０ｎｍの半導体アレイレーザー、発振波長８００ｎｍのチタンサファイアレーザー等が適用される。
【００２０】
各レーザー照射手段３０ａ，３０ｂ，３０ｃ，３０ｄによる赤外線レーザーの照射条件は、前述した条件（３）を満たす他、インクを乾燥しうるものであれば特に制限はないが、記録媒体Ｐ上に吐出されたインクに対して満遍なくエネルギーを照射しうるようにすることが望ましい。
【００２１】
例えば、赤外線レーザーは、記録媒体の搬送方向に直行する方向にライン状に並んでいるものであってもよいし、記録媒体の搬送速度とレーザの出力によっては、スキャン型であってもよい。
また、赤外線レーザーの照射条件として、例えば、以下のようなものが挙げられる。
即ち、記録媒体上にライン状のビーム照射を行う場合、記録媒体の搬送方向と搬送方向に直行する方向との幅（即ち、記録媒体の長さと幅）により、このライン状の照射領域を決定しうる。具体的には、記録媒体の搬送方向に直行する方向の幅（記録媒体の幅は、紙幅もしくはインクが吐出されている領域の幅であって、搬送方向の幅（記録媒体の長さ）は搬送速度と目的の照射時間によって設定される（幅＝搬送速度×照射時間）。
また、赤外線レーザーによる照射エネルギーは、インクの吐出量に応じて決定されればよい。例えば、一般的なインクの吐出量が１ｇ／ｃｍ２以上３０ｇ／ｃｍ２以下の範囲にあるとするならば、インクが吸収するエネルギーで、０．３Ｊ／ｃｍ２以上１０Ｊ／ｃｍ２以下程度となるように照射エネルギーを調整すればよく、インクのレーザー光の吸収率をＡとするなら、０．３／Ａ（Ｊ／ｃｍ２）以上１０／Ａ（Ｊ／ｃｍ２）以下の範囲となる。なお、かかる吸収率Ａは、吐出（乾燥）される順序によって変わるが、１０％以上１００％以下の範囲から選択されることが好ましい。
【００２２】
また、記録媒体Ｐにおける乾燥ジワの発生を抑制する点からは、記録媒体Ｐへインクが着弾した後、直ぐに、各レーザー照射手段３０ａ，３０ｂ，３０ｃ，３０ｄによる赤外線レーザーの照射が行われることが望ましい。
例えば、インクの吐出開始後１００ミリ秒以内に赤外線レーザーが照射されることが望ましい。より具体的には、記録媒体の種類によりインクが記録媒体に染み込み易さが変化することから、例えば、記録媒体がコート紙であればインクの吐出開始後１００ミリ秒以内、ラフ紙であればインクの吐出開始後数ミリ秒以下に、赤外線レーザーが照射されることが好ましい。
上記のためには、レーザー照射手段３０ａ，３０ｂ，３０ｃ，３０ｄとインクジェットヘッド２０ａ，２０ｂ，２０ｃ，２０ｄとが、近接配置されることが望ましい。
また、インクジェット記録装置１００とは異なり、レーザー照射手段とインクジェットヘッドとが各色毎に一体化したものであってもよいし、ミラーなどの光学系の使用により、レーザー照射部とインク着弾部とが近接するような態様であってもよい。
【００２３】
続いて、前述した条件（１）〜（４）について、インクジェット記録装置１００に適用させた場合の具体例を示し、説明する。
まず、条件（１）について説明する。
インクジェット記録装置１００において、各インクタンク２２ａ，２２ｂ，２２ｃ，２２ｄに収納されているインクは、前述した条件（１）を満たすものである。
即ち、例えば、インクタンク２２ａに収納されたインクであれば、そのインクに含有される赤外線吸収剤が、かかるインクが吐出された後最も先んじて照射される赤外線レーザー（つまり、図１に示すインクジェット記録装置１００では、インクが吐出されるインクジェットヘッド２０ａの直近に配置されたレーザー照射手段３０ａにより照射される赤外線レーザー）の発振波長に同一又は近似した極大吸収波長を有するものである。
このように、各インクタンク２２ａ，２２ｂ，２２ｃ，２２ｄに収納されているインクのそれぞれが条件（１）を満たすことにより、含有される赤外線吸収剤が効果的に機能し、記録媒体Ｐ上に吐出された後、レーザー照射手段３０ａ，３０ｂ，３０ｃ，３０ｄから照射された赤外線レーザー（吐出された後最も先んじて照射される赤外線レーザー）を効率よく吸収しうるため、インクの乾燥が容易となる。
なお、本明細書において、波長における「同一又は近似した」とは、比較する波長の差、即ち、条件（１）においては、赤外線レーザーの発振波長と赤外線吸収剤の極大吸収波長との差が、５０ｎｍ以下であることを意味する。
【００２４】
次に、条件（２）の（ａ）及び（ｂ）について説明する。
インクジェットヘッド２０ａ，２０ｂ，２０ｃ，２０ｄが、例えば、記録媒体Ｐの搬送方向上流側から、イエローインクを吐出するヘッド２０ａと、マゼンタインクを吐出するヘッド２０ｂ、シアンインクを供給するヘッド２０ｃ、ブラックインクを吐出するヘッド２０ｄと、含んで構成されている場合の条件（２）について説明する。
即ち、上記のような構成の場合、条件（２）の（ａ）を満たすためには、イエロー、マゼンタ、シアン、ブラックの４つのインク中には、同一又は近似した極大吸収波長を有する赤外線吸収剤を含有するインクが存在していることが必須である。つまり、上記の４つのインク中の２色以上のインク、例えば４色全てのインクが、同一又は近似した極大吸収波長を有する赤外線吸収剤を含有するインクであることを意味する。
なお、この条件（２）の（ａ）に加え、前述した条件（１）及び条件（３）を満たすためには、同一又は近似した極大吸収波長を有する赤外線吸収剤を含有するインクを乾燥するための、かかるインクが吐出された後最も先んじて赤外線レーザーを照射するレーザー照射手段は、同一の発振波長を有する赤外線レーザーを照射するものとなる。
【００２５】
その上、条件（２）の（ｂ）では、同一又は近似した極大吸収波長を有する赤外線吸収剤を含有するインクにおいて、かかるインクが吐出された後最も先んじて照射される赤外線レーザーの発振波長に対する赤外線吸収率が、記録媒体の搬送方向上流側から下流側にかけてインクジェットヘッドにより吐出される順に大きくなる、ことを満たす。つまり、具体的に言えば、例えば、イエロー、マゼンタ、シアン、ブラックの４つのインクの全てが、同一又は近似した極大吸収波長を有する赤外線吸収剤を含有するインクであれば、これらのインクは、かかるインクが吐出された後最も先んじて照射される赤外線レーザーの発振波長（前述の通り、４つ全て同一の発振波長となる）に対する赤外線吸収率が「イエロー＜マゼンタ＜シアン＜ブラック」の関係となる。
その結果、イエロー、マゼンタ、シアン、ブラックの順でインクが吐出され、イエローインクは４回、マゼンタインクは３回、シアンインクは２回と、レーザー照射手段により赤外線レーザーが照射されることになるが、上記のように赤外線吸収率の大小関係を満たすことで、イエローインク、マゼンタインクは、及びシアンインクにおける過加熱が抑制される。
【００２６】
次に、条件（３）の（ａ）及び（ｂ）について説明する。
インクジェット記録装置１００において、条件（３）の（ａ）によれば、４つのレーザー照射手段３０ａ，３０ｂ，３０ｃ，３０ｄ中には、同一の発振波長を有する赤外線レーザーを照射するレーザー照射手段が存在することが必須である。つまり、上記の４つのレーザー照射手段３０ａ，３０ｂ，３０ｃ，３０ｄ中の２つ以上のインク照射手段（例えば４つ全てのレーザー照射手段）が、同一の発振波長を有する赤外線レーザーを照射するレーザー照射手段であることを意味する。
上記の条件（３）の（ａ）を満たすことで、複数のレーザー照射手段のうち同一のものを用いることができることになるため、コストや入手容易性、更には、装置設計等に優れるとの利点がある。
【００２７】
その上、条件（３）の（ｂ）では、同一の発振波長を有する赤外線レーザーを照射するレーザー照射手段において、かかるレーザー照射手段の赤外線レーザーによる照射エネルギーが、記録媒体の搬送方向上流側のものから下流側のものにかけて順に小さくなる、ことを満たす。
つまり、具体的に言えば、例えば、イエロー、マゼンタ、シアン、ブラックの４つのインクの各々に対して、同一の発振波長を有する赤外線レーザーを照射するレーザー照射手段を適用するのであれば、かかるレーザー照射手段の赤外線レーザーによる照射エネルギーが「イエロー＞マゼンタ＞シアン＞ブラック」の関係となる。
この態様の場合、インクの赤外線レーザーに対する赤外線級収率がイエロー＜マゼンタ＜シアン＜ブラックとなっていたとしても、十分な照射エネルギーを付与しうるため、インクの乾燥が可能となる。
【００２８】
更に、条件（４）について説明する。
インクジェット記録装置１００において、条件（４）によれば、４つのレーザー照射手段３０ａ，３０ｂ，３０ｃ，３０ｄ中には、異なる発振波長を有する赤外線レーザーを照射するレーザー照射手段が存在することが必須である。つまり、上記の４つのレーザー照射手段３０ａ，３０ｂ，３０ｃ，３０ｄ中の少なくとも１つのインク照射手段が、その他のレーザー照射手段とは異なる発振波長を有する赤外線レーザーを照射するレーザー照射手段であることを意味する。
つまり、レーザー照射手段３０ａ，３０ｂに、発振波長が８１０ｎｍの半導体アレイレーザーが適用され、また、レーザー照射手段３０ｃ，３０ｄに、発振波長９００ｎｍの半導体アレイレーザーが適用される、といった態様となる。
前述したように、条件（１）を満たしている場合、レーザー照射手段３０ａによって照射される発振波長が８１０ｎｍの赤外線レーザーによってインクタンク２２ａ，２２ｂに収納されたインクや（例えばイエローインク、マゼンタインク）は効果的に乾燥される。しかし、上記のように、レーザー照射手段３０ａとは異なる発振波長（９００ｎｍ）を有する赤外線レーザーを照射するレーザー照射手段３０ｃ，３０ｄによっては、かかるイエローインクやマゼンタインクは、赤外線吸収剤がその機能が発現され難いことから、過加熱されることがない。
このように、条件（１）及び（４）を満たすようにすることで、マゼンタインクは全く過加熱されることがなく、また、イエローインクにおいても、レーザー照射手段３０ｃ，３０ｄにより発振波長８１０ｎｍの赤外線レーザーが照射される場合と比較して、過加熱が抑制されることになる。
【００２９】
上記のように、８１０ｎｍと９００ｎｍのような２種の発振波長を有する赤外線レーザーを適用する態様の場合、レーザー照射手段３０ａ，３０ｃに、発振波長が８１０ｎｍの半導体アレイレーザーが適用され、また、レーザー照射手段３０ｂ，３０ｄに、発振波長９００ｎｍの半導体アレイレーザーが適用される、といった態様としてもよい。つまり、交互に、発振波長が異なる赤外線レーザーを適用する態様である。
この交互にする態様の場合、レーザー照射手段３０ａにより加熱・乾燥されたインクが、次の、レーザー照射手段３０ｂにより加熱・乾燥され難い状態となり、放熱による冷却がなされることから、過加熱の抑制には有効であることがある。
【００３０】
前述したインクジェット記録装置１００は、本実施形態に係るインクジェット記録装置の一例を示したものであって、前述の条件（１）〜（３）の全てを満たす、又は、条件（１）及び（４）を満たすものであれば、この構成に限定されるものではない。
また、インクジェット記録装置１００において、搬送手段１０への記録媒体Ｐの供給手段、各種の制御手段、装置内の環境保持手段等については、特に制限はなく、従来公知の各手段が適用される。
【００３１】
続いて、インクジェット記録装置１００による画像形成プロセスについて説明する。
インクジェット記録装置１００では、まず、回転駆動しているベルト１２上に、図示されない供給手段により記録媒体Ｐが供給される。
続いて、供給された記録媒体Ｐ上には、所定の画像情報に基づき、インクジェットヘッド２０ａによりインク（例えば、イエローインク）の液滴が吐出され、かかるインクが記録媒体Ｐ上に着弾する。
そして、記録媒体Ｐ上に着弾したインクには、すぐさまレーザー照射手段３０ａにより赤外線レーザーが照射される。これにより、インクが速やかに乾燥することから、記録媒体Ｐに発生する乾燥ジワが抑制される。
【００３２】
上記と同様にして、インクジェットヘッド２０ｂ，２０ｃ，２０ｄによるインクの吐出と、レーザー照射手段３０ｂ，３０ｃ，３０ｄによる赤外線レーザーの照射と、がそれぞれ行われ、各色のインク（例えば、マゼンタインク、シアンインク、ブラックインク）による画像が形成される。この際にも、インクが速やかに乾燥することから、記録媒体Ｐに発生する乾燥ジワが抑制される。
以上のようにして、本実施形態に係るインクジェット記録装置１００では、画像形成が行われる。
【００３３】
〔インク〕
続いて、本実施形態に係るインクジェット記録装置に用いられるインクについて説明する。
かかるインクは、前述のように、条件（１）を満たすべく、赤外線吸収剤及び着色剤を含有するものであればよく、それ以外は特に限定されず、水性インク、油性インク、溶媒系インク、ＵＶ硬化型インク等、種々のインクより選択される。
中でも、本発明の効果を効率よく発現しうるものとして、水性インクが挙げられる。
【００３４】
（赤外線吸収剤）
本実施形態におけるインクは、赤外線吸収剤を含有する。
この赤外線吸収剤としては、本実施形態に係るインクジェット記録装置に備わる赤外線レーザーの波長に応じた赤外領域に吸収を有するものであればよく、また、インクとして求められている色相を変化させ難い、つまり、色にごりを発生しにくいものが選択される。例えば、イエローインクの場合には、黄色の色相を呈する領域に（大きな）吸収を有しない赤外線吸収剤が好適である。
【００３５】
本実施形態に係るインクに適用しうる赤外線吸収剤としては、従来公知の赤外線吸収剤が用いられるが、例えば、スクアリリウム系色素、クロコニウム系色素、ナフタロシアニン系色素、シアニン系色素、アミニウム系色素等が挙げられる。
また、以下に示す構造の赤外線吸収剤（化合物（１）及び化合物（２））についても、好適に用いることもできる。
【００３６】
【化１】
2013188920.tif 000003
【００３７】
【化２】
2013188920.tif 000004
【００３８】
上述のような赤外線吸収剤の添加量を調整することで、インクジェット記録装置に備わる赤外線レーザーに対するインク赤外線吸収率を制御することができる。
また、前述のように、色にごりを発生しにくい赤外線吸収剤は、インク中の添加量を多くすることが可能となることから、前述した条件（２）の場合には、記録媒体の搬送方向のより下流側にてインクジェットヘッドにより吐出されるインクに対して適用することが望ましい。
【００３９】
前記した化合物（１）及び化合物（２）を用いた場合のインクの色にごりについて具体的に説明する。
化合物（１）は、極大吸収波長が９０１ｎｍであって、可視域に吸収が少ない不可視性の高い赤外線吸収剤である。図２に、化合物（１）の吸光スペクトルを示す。
また、化合物（２）は、極大吸収波長が８１７ｎｍであって、可視域に吸収が少ない不可視性の高い赤外線吸収剤である。図３に、化合物（２）の吸光スペクトルを示す。
これらの化合物（１）及び（２）について、イエロー、マゼンタ、及びシアンの各インクに添加した場合の色にごり（無添加と添加した際との色差：ΔＥ）について測定した。結果を図４（ａ）〜（ｃ）及び図５（ａ）〜（ｃ）に示す。
なお、図４（ａ）〜（ｃ）には、波長９００ｎｍの赤外線レーザー光の吸収率も合わせて記載した。また、図５（ａ）〜（ｃ）には、波長８１０ｎｍの赤外線レーザー光の吸収率も合わせて記載した。
【００４０】
ここで用いたイエロー、マゼンタ、及びシアンの各インクは以下の通りである。
イエローインク：ピグメントイエロー７４：６．５質量％＋分散剤（Triton-X）0.5質量％＋水の水系インク
マゼンタインク：ピグメントレッド１２２：４．５質量％＋ピグメントレッド２３８：４．５質量％＋分散剤（Triton-X）0.5質量％＋水の水系インク
シアンインク：ピグメントブルー１５：３：５．５％＋分散剤（Triton-X）0.5質量％＋水の水系インク
上記の各水系インクは、吐出量（塗布量）５ｇ／ｃｍ２で記録媒体上に付与した。
【００４１】
また、色差：ΔＥ及び赤外線レーザー光の吸収率の測定方法は、以下の通りである。
色差：ΔＥは、赤外線吸収剤が無添加のインク、添加されているインクをそれぞれ前述した塗布量で吐出させ、自然乾燥した後の乾燥サンプルについて、Ｘ−ｒｉｔｅ（９３９ＪＰ）でＬ＊ａ＊ｂ＊を測定し、以下の式により算出する。
式・・・〔（Ｌ１＊−Ｌ２＊）２＋（ａ１＊−ａ２＊）２＋（ｃ１＊−ｃ２＊）２）０．５
〔上記式中、無添加のインクの値がＬ１＊，ａ１＊，ｂ１＊であり、添加されているインクの値がＬ２＊，ａ２＊，ｂ２＊である。〕
また、赤外線レーザー光の吸収率は、上記の乾燥サンプルの反射スペクトルを測定することで求められる。
【００４２】
図４（ａ）〜（ｃ）に明らかなように、化合物（１）の場合、同一添加量の場合の色にごりは、イエローインクが最も強く発現し、マゼンタインク及びシアンインクは同程度である。
一般的に、イエローインクは最も明るい（Ｌ＊値）を有するため、赤外線吸収剤が可視域に少しでも吸収を有すると、他の色相のインクよりも色にごりが目立ち易い。図４（ａ）〜（ｃ）では、このような状況を示している。
そのため、イエローインクは赤外線吸収剤の添加量を少なくし、色にごりを生じにくくすることが望ましい。そのため、前述したインクジェット記録装置１００の場合には、吐出順が最も早く、高い赤外線級収率が求められない、インクジェットヘッド２０ａにより吐出されるインクとしてイエローインクが用いられることが望ましい。
【００４３】
また、図５（ａ）〜（ｃ）に明らかなように、化合物（２）の場合、同一添加量の場合の色にごりは、シアンインクが最も強く発現し、マゼンタインク、イエローインクとその程度が低くなる。
上記のような赤外線吸収剤を用いた場合には、そのため、前述したインクジェット記録装置１００の場合には、吐出順が最も早く、高い赤外線級収率が求められない、インクジェットヘッド２０ａにより吐出されるインクとしてシアンインクが用いられることが望ましい。
【００４４】
なお、ブラックインクは着色剤兼赤外線吸収剤としてカーボン顔料を用いることができ、かかるカーボン顔料がほとんどの赤外領域に１００％に近い吸収を有し、色にごりについても考慮する必要がないことから、前述したインクジェット記録装置１００の場合には、吐出順が最も遅く、高い赤外線級収率が求められる、インクジェットヘッド２０ｄにより吐出されるインクとして用いられることが望ましい。
このように、赤外線吸収剤の添加による色にごりの程度によって、インクジェット記録装置における各色のインクの吐出順が決定されることが好ましい。
【００４５】
赤外線吸収剤の添加量（含有量）としては、所望の赤外線吸収率と、色にごりの程度、装置によるインク吐出量等に応じて適宜決定されればよい。一般的には、インク全体に対して、０．０１質量％以上１０質量％以下であり、０．０５質量％以上５質量％以下が望ましく、０．１質量％以上１質量％以下がより望ましい。
なお、インクの赤外線レーザーに対する赤外線吸収率は、測定対象であるインクの乾燥サンプルを、前述した、赤外線レーザー光の吸収率と同様の方法（即ち、反射スペクトルを測定すること）で求められる。
【００４６】
（着色剤）
本実施形態におけるインクは、着色剤を含有する。
この着色剤としては、各種のインクに適用される顔料、染料が用いられるが、耐光性、耐熱性等の観点からは、顔料が好適である。
具体的な顔料としては、例えば、シアン顔料としては、例えば、Ｃ．Ｉ．ピグメントブルー１、同２、同３、同４、同５、同６、同７、同１０、同１１、同１２、同１３、同１４、同１５、同１５：１、同１５：２、同１５：３、同１５：４、同１５：６、同１６、同１７、同２３、同６０、同６５、同７３、同８３、同１８０、Ｃ．Ｉ．バットシアン１、同３、同２０等や、紺青、コバルトブルー、アルカリブルーレーキ、フタロシアニンブルー、無金属フタロシアニンブルー、フタロシアニンブルーの部分塩素化物、ファーストスカイブルー、インダスレンブルーＢＣのシアン顔料が挙げられる。マゼンタ顔料としては、例えば、Ｃ．Ｉ．ピグメントレッド１、同２、同３、同４、同５、同６、同７、同８、同９、同１０、同１１、同１２、同１３、同１４、同１５、同１６、同１７、同１８、同１９、同２１、同２２、同２３、同３０、同３１、同３２、同３７、同３８、同３９、同４０、同４１、同４８、同４９、同５０、同５１、同５２、同５３、同５４、同５５、同５７、同５８、同６０、同６３、同６４、同６８、同８１、同８３、同８７、同８８、同８９、同９０、同１１２、同１１４、同１２２、同１２３、同１６３、同１８４、同２０２、同２０６、同２０７、同２０９等、ピグメントバイオレット１９のマゼンタ顔料が挙げられる。
また、Ｃ．Ｉ．ソルベントレッド１、同３、同８、同２３、同２４、同２５、同２７、同３０、同４９、同８１、同８２、同８３、同８４、同１００、同１０９、同１２１、Ｃ．Ｉ．ディスパースレッド９、Ｃ．Ｉ．ベーシックレッド１、同２、同９、同１２、同１３、同１４、同１５、同１７、同１８、同２２、同２３、同２４、同２７、同２９、同３２、同３４、同３５、同３６、同３７、同３８、同３９、同４０等のマゼンタ染料等、ベンガラ、カドミウムレッド、鉛丹、硫化水銀、パーマネントレッド４Ｒ、リソールレッド、ピラゾロンレッド、ウオッチングレッド、カルシウム塩、レーキレッドＤ、ブリリアントカーミン６Ｂ、エオシンレーキ、ロータミンレーキＢ、アリザリンレーキ、ブリリアントカーミン３Ｂなども用いられる。イエロー顔料としては、例えば、Ｃ．Ｉ．ピグメントイエロー２、同３、同１５、同１６、同１７、同９７、同１８０、同１８５、同１３９等のイエロー顔料が挙げられる。
なお、ブラックインクには、カーボン顔料を用いられるが、このカーボン顔料は優れた赤外線吸収能を有しているため、このカーボン顔料とは別に赤外線吸収剤を添加する必要がない。このような場合には、カーボン顔料は着色剤と赤外線吸収剤を兼ねた成分となる。
【００４７】
着色剤の含有量としては、インクの種類に応じて決定されるが、一般的には、インク全体に対して、０．１質量％以上３０質量％以下であり、０．５質量％以上２０質量％以下が望ましく、１質量％以上１０質量％以下がより望ましい。
【００４８】
（その他の成分）
本実施形態におけるインクは、前述した赤外線吸収剤及び着色剤以外に、かかる着色剤を分散するための分散剤や、各種のインクに対応した溶媒（水系インクなら水）、その他の成分を含んでいてもよい。
その他の成分については、従来公知の各種成分を、公知の添加割合にて用いることができる。
【００４９】
以上のようなインクを本実施形態に係るインクジェット記録装置は適用することができる。
【実施例】
【００５０】
以下、実施例及び比較例を挙げ、本実施形態をより具体的に説明するが、本実施形態は以下の実施例に限定されるものではない。なお、特に断りのない限り、「部」及び「％」は質量基準である。
【００５１】
［実施例１、比較例１］
（インクの作製）
（高分子の調製）
反応容器に、メチルエチルケトン１２０部を入れ、窒素雰囲気下攪拌しながら還流するまで昇温した。次いで、メチルメタクリレート６６．２部、２−フェノキシエチルアクリレート７２．０部、アクリル酸８．８部、２，２’−アゾビス（２，４−ジメチルバレロニトリル）０．７部、メチルエチルケトン１１部からなる混合溶液を２時間かけて徐々に滴下した。
滴下終了から２時間経過後、２，２’−アゾビス（２，４−ジメチルバレロニトリル）０．３部をメチルエチルケトン２部に溶解した溶液を加え、更に還流状態で２時間撹拌した後、２，２’−アゾビス（２，４−ジメチルバレロニトリル）０．２部をメチルエチルケトン２部に溶解した溶液を加え、更に還流状態で３時間撹拌した後、メチルエチルケトン５５部を添加し、高分子Ｂ−０１の溶液を得た。固形分は４４％、原料仕込みより算出した酸価は４７であった。また、ガラス転移温度は３１℃であった。
【００５２】
（赤外吸収剤分散液の調製）
得られた高分子の溶液を固形分換算で５．０ｇ、赤外吸収剤として前記化合物（２）で表されるスクアリリウム色素１０．０ｇ、メチルエチルケトン４０．０ｇ、１ｍｏｌ／Ｌ水酸化ナトリウム８．０ｇ、イオン交換水８２．０ｇ、０．１ｍｍジルコニアビーズ３００ｇをベッセルに供給し、レディーミル分散機（アイメックス製）で１０００ｒｐｍ６時間分散した。得られた分散液をエバポレーターでメチルエチルケトンが十分留去できるまで減圧濃縮し、顔料濃度が１０％になるまで濃縮し、赤外吸収剤分散液Ａ１を調製した。得られた赤外吸収剤分散液Ａ１の赤外線吸収剤の平均粒径は６７ｎｍであった。
【００５３】
（インク組成物の調製）
得られた赤外吸収剤分散液Ａ１を用いて、下記組成になるように各添加剤を添加した後、調液後５μｍフィルターで粗大粒子を除去し、インク組成物を調製した。
−組成−
・赤外吸収剤分散液Ａ１：  それぞれ表１の濃度にするための必要量
・グリセリン：  ２０部
・ジエチレングリコール：  １０部
・オルフィンＥ１０１０（日信化学）：  １．５部
・カラー顔料分散液：各色、発色に必要量
・イオン交換水：  インク組成物の合計が１００部となるように添加
【００５４】
（インクジェット記録装置）
前述のようにして得られた４色のインクを用いたインクジェット記録装置を準備した。
より具体的には、図１に示すインクジェット装置１００中のインクタンク２２ａにイエローインクを、インクタンク２２ｂにマゼンタインクを、インクタンク２２ｃにシアンインクを、インクタンク２２ｄにブラックインクを収納した。
また、図１に示すインクジェット装置１００中のレーザー照射手段３０ａ，３０ｂ，３０ｃ，３０ｄは、発振波長９００ｎｍの半導体アレイレーザーを備えたものである。
【００５５】
（画像形成）
上記のようなインクジェット記録装置を用い、王子製紙社製  ＯＫトップコート紙（坪量１２７ｇ/ｃｍ２）（紙）に対し、以下のようにして画像を形成した。
まず、イエローインク、マゼンタインク、シアンインク、及びブラックインクを、一色当たり５ｍｌ／ｃｍ２で、５０（ｍｍ）×５０（ｍｍ）の領域に吐出させた。
吐出させたインクに対し、下記表１に記載の照射エネルギーとなるように、１ｍｓ以上１００ｍｓ以下の範囲で赤外線レーザーを照射した。
【００５６】
上記のようにして画像形成を行った際の各条件（赤外線吸収剤の極大吸収波長、赤外線吸収率、及び添加濃度、各インクにおける色にごり（ΔＥ）、赤外線レーザーの発振波長、及び照射強度（照射エネルギー））について、下記表１に示す。
また、上記のようにして画像形成を行った際の、各インクの吸収エネルギーについて、下記表１に併記した。
【００５７】
【表１】
2013188920.tif 000005
【００５８】
上記表１に示すように、比較例１のように、イエロー、マゼンタ、シアンの全てのインクに等量の赤外線吸収剤（０．３５％）を添加し、同一の照射強度（照射エネルギー：１．６Ｊ／ｃｍ２）にて赤外線レーザーを照射すると、本来は１．５Ｊ／ｃｍ２の照射エネルギーさえあればインク中の水分が乾くところに、イエローインクのみが塗布されているエリアは５．９Ｊ／ｃｍ２、マゼンタインクであれば４．４Ｊ／ｃｍ２ものエネルギーを吸収してしまうことが分かる。これにより、記録用紙における乾燥ジワを抑制されるものの、イエローインクやマゼンタインクは過加熱されていることが分かる。
このイエローインクについて観察したところ、着色剤の吹き飛びによる画像欠陥や紙裏面の変色が見られ、画質の劣化も見られた。
また、比較例１では、イエロー、マゼンタ、シアンの各インクに赤外線吸収剤を多量に添加していることで、色にごり（ΔＥ）が１．６〜３．９と大きな値となっている。
【００５９】
対して、実施例１では、イエローインクの吸収エネルギーが３．７Ｊ／ｃｍ２、マゼンタインクであれば３．８Ｊ／ｃｍ２となっており、比較例１に比べてイエローインク及びマゼンタインクが吸収するエネルギーが大幅に削減されている。
このイエローインクについて観察したところ、坪量の小さい紙や耐熱性の低い紙では、わずかな裏面の変色が見られるものの、着色剤の吹き飛びによる画像欠陥がなく、画質の劣化は確認されなかった。
更には、イエロー、マゼンタ、シアンの各インクにおける色にごり（ΔＥ）も０．７〜１．５と低減されていることも分かった。
【００６０】
［実施例２、実施例３]
（インクの作製）
（高分子の調製）
反応容器に、メチルエチルケトン１２０部を入れ、窒素雰囲気下攪拌しながら還流するまで昇温した。次いで、メチルメタクリレート６６．２部、２−フェノキシエチルアクリレート７２．０部、アクリル酸８．８部、２，２’−アゾビス（２，４−ジメチルバレロニトリル）０．７部、メチルエチルケトン１１部からなる混合溶液を２時間かけて徐々に滴下した。
滴下終了から２時間経過後、２，２’−アゾビス（２，４−ジメチルバレロニトリル）０．３部をメチルエチルケトン２部に溶解した溶液を加え、更に還流状態で２時間撹拌した後、２，２’−アゾビス（２，４−ジメチルバレロニトリル）０．２部をメチルエチルケトン２部に溶解した溶液を加え、更に還流状態で３時間撹拌した後、メチルエチルケトン５５部を添加し、高分子Ｂ−０１の溶液を得た。固形分は４４％、原料仕込みより算出した酸価は４７であった。また、ガラス転移温度は３１℃であった。
【００６１】
（赤外吸収剤分散液の調製）
得られた高分子の溶液を固形分換算で５．０ｇ、赤外吸収剤として前記化合物（１）で表されるスクアリリウム色素１０．０ｇ、メチルエチルケトン４０．０ｇ、１ｍｏｌ／Ｌ水酸化ナトリウム８．０ｇ、イオン交換水８２．０ｇ、０．１ｍｍジルコニアビーズ３００ｇをベッセルに供給し、レディーミル分散機（アイメックス製）で１０００ｒｐｍ６時間分散した。得られた分散液をエバポレーターでメチルエチルケトンが十分留去できるまで減圧濃縮し、顔料濃度が１０％になるまで濃縮し、赤外吸収剤分散液Ａ１を調製した。得られた赤外吸収剤分散液Ｂ１の赤外線吸収剤の平均粒径は50ｎｍであった。
得られた高分子の溶液を固形分換算で５．０ｇ、赤外吸収剤として前記化合物（２）で表されるスクアリリウム色素１０．０ｇ、メチルエチルケトン４０．０ｇ、１ｍｏｌ／Ｌ水酸化ナトリウム８．０ｇ、イオン交換水８２．０ｇ、０．１ｍｍジルコニアビーズ３００ｇをベッセルに供給し、レディーミル分散機（アイメックス製）で１０００ｒｐｍ６時間分散した。得られた分散液をエバポレーターでメチルエチルケトンが十分留去できるまで減圧濃縮し、顔料濃度が１０％になるまで濃縮し、赤外吸収剤分散液Ａ１を調製した。得られた赤外吸収剤分散液Ｂ２の赤外線吸収剤の平均粒径は６７ｎｍであった。
【００６２】
（インク組成物の調製）
得られた赤外吸収剤分散液Ａ１を用いて、下記組成になるように各添加剤を添加した後、調液後５μｍフィルターで粗大粒子を除去し、インク組成物を調製した。
−組成−
・赤外吸収剤分散液Ｂ１：  それぞれ表２の濃度にするための必要量
・赤外吸収剤分散液Ｂ２：  それぞれ表２の濃度にするための必要量
・グリセリン：  ２０部
・ジエチレングリコール：  １０部
・オルフィンＥ１０１０（日信化学）：  １．５部
・カラー顔料分散液：各色、発色に必要量
・イオン交換水：  インク組成物の合計が１００部となるように添加
【００６３】
（インクジェット記録装置）
前述のようにして得られた４色のインクを用いたインクジェット記録装置を準備した。
より具体的には、図１に示すインクジェット装置１００中のインクタンク２２ａにイエローインクを、インクタンク２２ｂにマゼンタインクを、インクタンク２２ｃにシアンインクを、インクタンク２２ｄにブラックインクを収納した。
また、図１に示すインクジェット装置１００中のレーザー照射手段３０ａ，３０ｂは、発振波長８１０ｎｍの半導体アレイレーザーを備え、レーザー照射手段３０ｃ，３０ｄは、発振波長９００ｎｍの半導体アレイレーザーを備えたものである。
【００６４】
（画像形成）
上記のようなインクジェット記録装置を用い、王子製紙社製  OKトップコート紙（坪量１２７ｇ/ｃｍ２、７３ｇ/ｃｍ２）（紙）に対し、以下のようにして画像を形成した。
まず、イエローインク、マゼンタインク、シアンインク、及びブラックインクを、一色当たり５ｍｌ／ｃｍ２で、５０（ｍｍ）×５０（ｍｍ）の領域に吐出させた。
吐出させたインクに対し、下記表２に記載の照射エネルギーとなるように、１ｍｓ以上１００ｍｓ以下の範囲で赤外線レーザーを照射した。
【００６５】
上記のようにして画像形成を行った際の各条件（赤外線吸収剤の極大吸収波長、赤外線吸収率、及び添加濃度、各インクにおける色にごり（ΔＥ）、赤外線レーザーの発振波長、及び照射強度（照射エネルギー））について、下記表２に示す。
また、上記のようにして画像形成を行った際の、各インクの吸収エネルギーについて、下記表２に併記した。
【００６６】
【表２】
2013188920.tif 000006
【００６７】
上記表２に示すように、実施例３の場合、イエローインクでは３．０Ｊ／ｃｍ２、シアンインクでは２．９Ｊ／ｃｍ２ものエネルギーを吸収してしまうことが分かる。これにより、記録用紙における乾燥ジワを抑制されるものの、イエローインクやシアンインクは過加熱されていることが分かる。
このイエローインクについて観察したところ、紙裏面の変色が見られた。
【００６８】
上記表２に示すように、実施例３の場合、イエローインクでは３．０Ｊ／ｃｍ２、シアンインクでは２．９Ｊ／ｃｍ２程度の吸収エネルギーであることが分かる。
これらの吸収エネルギーは、前述した比較例１におけるイエローインクやマゼンタインクの吸収エネルギーよりも低く、過加熱が抑えられていることがわかる。
このイエローインクについて観察したところ、裏面の変色が発生しやすい薄い紙（坪量73ｇ/ｃｍ２）でも裏面の変色は発生しなかった。
【００６９】
また、実施例２では、イエローインク及びシアンインクの吸収エネルギーがいずれも２．３Ｊ／ｃｍ２となっており、実施例３に比べてイエローインク及びシアンインクが吸収するエネルギーが大幅に削減されている。
このイエローインクについて観察したところ、紙裏面の変色もなく、画質の劣化は確認されなかった。
【００７０】
以上のように、本実施形態に係るインクジェット記録装置では、記録媒体の乾燥ジワを抑制すると共に、過加熱による画像の変質をも防止しうることが分かる。
【符号の説明】
【００７１】
１０  搬送手段
２０ａ，２０ｂ，２０ｃ，２０ｄ  インクジェットヘッド
３０ａ，３０ｂ，３０ｃ，３０ｄ  レーザー照射手段
１００  インクジェット記録装置
【図１】
2013188920.tif 000007
【図２】
2013188920.tif 000008
【図３】
2013188920.tif 000009
【図４】
2013188920.tif 000010
【図５】
2013188920.tif 000011